【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
シーン内の投影領域及びハイライト領域を検出する方法であって、前記シーンが、ＬＤＲ画像と呼ばれる低ダイナミックレンジ画像、及び前記ＬＤＲ画像よりも高いダイナミックレンジを有するＨＤＲ画像と呼ばれる高ダイナミックレンジ画像によって表され、前記方法が、
−前記ＨＤＲ画像から計算されて、前記ＨＤＲ画像の細部レベルをこのＨＤＲ画像の各ピクセルに提供するＨＤＲ細部マップと、前記ＬＤＲ画像から計算されて、前記ＬＤＲ画像の細部レベルをこのＬＤＲ画像の各ピクセルに提供するＬＤＲ細部マップとの正の差を有する領域を検出するステップを含み、前記検出された領域が、前記シーンの投影領域又はハイライト領域に対応する、方法。
【請求項２】
前記ＬＤＲ細部マップを前記計算することが、前記ＬＤＲ画像の輝度マップと、前記ＬＤＲ画像のフィルタリング済みの輝度マップとの間のＬＤＲ差に基づき、前記ＨＤＲ細部マップを前記計算することが、前記ＨＤＲ画像の輝度マップと、前記ＨＤＲ画像のフィルタリング済みの輝度マップとの間のＨＤＲ差に基づく、請求項１に記載の方法。
【請求項３】
前記ＬＤＲ画像の前記輝度マップに低域通過フィルタを適用することによって、前記ＬＤＲ画像の前記フィルタリング済みの輝度マップが得られる、請求項２に記載の方法。
【請求項４】
前記ＬＤＲ細部マップを計算するステップがさらに、前記ＬＤＲ画像内の中間輝度値を有するピクセルに対応する、前記ＬＤＲ細部マップのピクセルの前記細部レベルを低減するために、前記ＬＤＲ差に輝度重み関数を適用することを含む、請求項２又は３のいずれか一項に記載の方法。
【請求項５】
前記ＨＤＲ画像の前記輝度マップに低域通過フィルタを適用することによって、前記ＨＤＲ画像の前記フィルタリング済みの輝度マップが得られる、請求項２〜４のいずれか一項に記載の方法。
【請求項６】
前記ＨＤＲ細部マップを計算するステップがさらに、前記ＨＤＲ画像内の中間輝度値を有するピクセルに対応する、前記ＨＤＲ細部マップのピクセルの前記細部レベルを低減するために、前記ＨＤＲ差に輝度重み関数を適用することを含む、請求項２〜５のいずれか一項に記載の方法。
【請求項７】
前記検出された領域のうち、前記ＬＤＲ画像又はＨＤＲ画像の前記ピクセルの輝度値が輝度閾値よりも高い領域をハイライト領域に割り当て、前記ＬＤＲ画像又はＨＤＲ画像の前記ピクセルの輝度値が前記輝度閾値よりも低い領域を投影領域に割り当てるステップをさらに含む、請求項１〜６のいずれか一項に記載の方法。
【請求項８】
請求項１〜７のいずれか一項に記載の方法を含む、画像処理方法。
【請求項９】
シーン内の投影領域及びハイライト領域を検出する装置であって、前記シーンが、ＬＤＲ画像と呼ばれる低ダイナミックレンジ画像、及び前記ＬＤＲ画像よりも高いダイナミックレンジを有するＨＤＲ画像と呼ばれる高ダイナミックレンジによって表され、前記装置が、前記ＨＤＲ画像から計算されて、前記ＨＤＲ画像の細部レベルをこのＨＤＲ画像の各ピクセルに提供するＨＤＲ細部マップと、前記ＬＤＲ画像から計算されて、前記ＬＤＲ画像の細部レベルをこのＬＤＲ画像の各ピクセルに提供するＬＤＲ細部マップとの正の差を有する領域を検出するように構成された、少なくとも１つのプロセッサを備え、前記検出された領域が、前記シーンの投影領域又はハイライト領域に対応する、装置。
【請求項１０】
前記少なくとも１つのプロセッサが、前記ＬＤＲ画像の輝度マップと、前記ＬＤＲ画像のフィルタリング済みの輝度マップとの間のＬＤＲ差に基づいて、前記ＬＤＲ細部マップを計算し、また前記ＨＤＲ画像の輝度マップと、前記ＨＤＲ画像のフィルタリング済みの輝度マップとの間のＨＤＲ差に基づいて、前記ＨＤＲ細部マップを計算するようにさらに構成された、請求項９に記載の装置。
【請求項１１】
前記少なくとも１つのプロセッサが、前記検出された領域のうち、前記ＬＤＲ画像又はＨＤＲ画像の前記ピクセルの輝度値が輝度閾値よりも高い領域をハイライト領域に割り当て、前記ＬＤＲ画像又はＨＤＲ画像の前記ピクセルの輝度値が前記輝度閾値よりも低い領域を投影領域に割り当てるようにさらに構成された、請求項９又は１０のいずれか一項に記載の装置。
【請求項１２】
請求項９〜１１のいずれか一項に記載の装置を組み込む、画像処理装置。
【請求項１３】
請求項１２に記載の画像処理装置を組み込む、電子装置。
【請求項１４】
カメラ、テレビ受像機、モニタ、ヘッドマウント表示装置、セット・トップ・ボックス、ゲートウェイ、スマートフォン、及びタブレットからなるグループ内で選択される、請求項１３に記載の電子装置。
【請求項１５】
プログラムがコンピューティング装置上で実行されるとき、請求項１〜８のいずれか一項に記載の方法のステップを実行するための、プログラム・コードの命令を保持する、持続的な記憶媒体。
【手続補正２】
【補正対象書類名】明細書
【補正対象項目名】００５９
【補正方法】変更
【補正の内容】
【００５９】
本発明のいくつかの実施形態が添付図面に示され、前述の詳細な説明に記載されているが、本発明は、開示された実施形態に限定されるものではなく、添付特許請求の範囲によって記載され、定義される本発明から逸脱することなく、数多くの再構成、修正、及び置換えが可能であることを理解されたい。
（付記１）
シーン内の投影領域及びハイライト領域を検出する方法であって、前記シーンが、ＬＤＲ画像と呼ばれる低ダイナミックレンジ画像、及び前記ＬＤＲ画像よりも高いダイナミックレンジを有するＨＤＲ画像と呼ばれる高ダイナミックレンジ画像によって表され、前記方法が、
−前記ＨＤＲ画像から計算されて（Ｓ２）、前記ＨＤＲ画像の細部レベルをこのＨＤＲ画像の各ピクセルに提供するＨＤＲ細部マップと、前記ＬＤＲ画像から計算されて（Ｓ１）、前記ＬＤＲ画像の細部レベルをこのＬＤＲ画像の各ピクセルに提供するＬＤＲ細部マップとの正の差を有する領域を検出するステップ（Ｓ３）を含み、前記検出された領域が、前記シーンの投影領域又はハイライト領域に対応する、方法。
（付記２）
前記ＬＤＲ細部マップを前記計算すること（Ｓ１）が、前記ＬＤＲ画像の輝度マップと、前記ＬＤＲ画像のフィルタリング済みの輝度マップとの間のＬＤＲ差に基づき、前記ＨＤＲ細部マップを前記計算すること（Ｓ２）が、前記ＨＤＲ画像の輝度マップと、前記ＨＤＲ画像のフィルタリング済みの輝度マップとの間のＨＤＲ差に基づく、付記１に記載の方法。
（付記３）
前記ＬＤＲ画像の前記輝度マップに低域通過フィルタを適用すること（Ｓ１１）によって、前記ＬＤＲ画像の前記フィルタリング済みの輝度マップが得られる、付記２に記載の方法。
（付記４）
前記ＬＤＲ細部マップを計算するステップがさらに、前記ＬＤＲ画像内の中間輝度値を有するピクセルに対応する、前記ＬＤＲ細部マップのピクセルの前記細部レベルを低減するために、前記ＬＤＲ差に輝度重み関数を適用することを含む、付記２又は３のいずれか一つに記載の方法。
（付記５）
前記ＨＤＲ画像の前記輝度マップに低域通過フィルタを適用することによって、前記ＨＤＲ画像の前記フィルタリング済みの輝度マップが得られる、付記２〜４のいずれか一つに記載の方法。
（付記６）
前記ＨＤＲ細部マップを計算するステップがさらに、前記ＨＤＲ画像内の中間輝度値を有するピクセルに対応する、前記ＨＤＲ細部マップのピクセルの前記細部レベルを低減するために、前記ＨＤＲ差に輝度重み関数を適用することを含む、付記２〜５のいずれか一つに記載の方法。
（付記７）
前記検出された領域のうち、前記ＬＤＲ画像又はＨＤＲ画像の前記ピクセルの輝度値が輝度閾値よりも高い領域をハイライト領域に割り当て、前記ＬＤＲ画像又はＨＤＲ画像の前記ピクセルの輝度値が前記輝度閾値よりも低い領域を投影領域に割り当てるステップ（Ｓ４）をさらに含む、付記１〜６のいずれか一つに記載の方法。
（付記８）
付記１〜７のいずれか一つに記載の方法を含む、画像処理方法。
（付記９）
シーン内の投影領域及びハイライト領域を検出する装置であって、前記シーンが、ＬＤＲ画像と呼ばれる低ダイナミックレンジ画像、及び前記ＬＤＲ画像よりも高いダイナミックレンジを有するＨＤＲ画像と呼ばれる高ダイナミックレンジによって表され、前記装置が、前記ＨＤＲ画像から計算されて（Ｓ２）、前記ＨＤＲ画像の細部レベルをこのＨＤＲ画像の各ピクセルに提供するＨＤＲ細部マップと、前記ＬＤＲ画像から計算されて（Ｓ１）、前記ＬＤＲ画像の細部レベルをこのＬＤＲ画像の各ピクセルに提供するＬＤＲ細部マップとの正の差を有する領域を検出する（Ｓ３）ように構成された、少なくとも１つのプロセッサを備え、前記検出された領域が、前記シーンの投影領域又はハイライト領域に対応する、装置。
（付記１０）
前記少なくとも１つのプロセッサが、前記ＬＤＲ画像の輝度マップと、前記ＬＤＲ画像のフィルタリング済みの輝度マップとの間のＬＤＲ差に基づいて、前記ＬＤＲ細部マップを計算し（Ｓ１）、また前記ＨＤＲ画像の輝度マップと、前記ＨＤＲ画像のフィルタリング済みの輝度マップとの間のＨＤＲ差に基づいて、前記ＨＤＲ細部マップを計算する（Ｓ２）ようにさらに構成された、付記９に記載の装置。
（付記１１）
前記少なくとも１つのプロセッサが、前記検出された領域のうち、前記ＬＤＲ画像又はＨＤＲ画像の前記ピクセルの輝度値が輝度閾値よりも高い領域をハイライト領域に割り当て、前記ＬＤＲ画像又はＨＤＲ画像の前記ピクセルの輝度値が前記輝度閾値よりも低い領域を投影領域に割り当てるようにさらに構成された、付記９又は１０のいずれか一つに記載の装置。
（付記１２）
付記９〜１１のいずれか一つに記載の装置を組み込む、画像処理装置。
（付記１３）
付記１２に記載の画像処理装置を組み込む、電子装置。
（付記１４）
カメラ、テレビ受像機、モニタ、ヘッドマウント表示装置、セット・トップ・ボックス、ゲートウェイ、スマートフォン、及びタブレットからなるグループ内で選択される、付記１３に記載の電子装置。
（付記１５）
プログラムがコンピューティング装置上で実行されるとき、付記１〜８のいずれか一つに記載の方法のステップを実行するための、プログラム・コードの命令を保持する、持続的な記憶媒体。